(57)【特許請求の範囲】
【請求項１】
家電製品等の廃棄物や各種資源ごみなどを運搬するために使用し、空荷のときには折り畳み可能な前後左右の枠を有する比較的大型の折り畳み式コンテナーであって、後枠及び左右の枠を荷台である床枠に下辺部を、それぞれヒンジ部にて回転により折り畳み可能に取り付け、前記それぞれのヒンジ部のうち左右の枠を荷台である床枠に下辺部にてとりつけたヒンジ部は、左右の枠の下部に内方へ向けて突出するように設けられた支片と、この支片を床枠の突出部に軸結合した支軸とからなり、支片は、左右の枠の折り畳み時に床枠上に畳まれた後枠に左右の枠が当たらないようにしたスペースを有するとともに、後枠及び左右の枠を床枠上に重ねられるようにし、左右の枠は組み立て及び折り畳みの途中に１個ずつ自立可能にする支持部を有し、支持部は床枠に設けられている突出部との間で係合可能な係合子を含むものとし、自立した左右の枠に後枠を掛け止め可能にする掛止部を後枠及び左右の枠との間に有し、前枠は正面開口を開閉可能な扉として左右の枠の双方又は一方に取り付けるようにした折り畳み式コンテナー。
【請求項２】

突出部は、床枠の４隅に設けられており、前後左右の枠を全部折り畳んだときに、それらの枠よりも上に位置する突出部の上端部にて上位のコンテナーの床枠を支持するように構成された請求項１記載の折り畳み式コンテナー。
【請求項３】
床枠は、下位のコンテナーの突出部を受け入れる凹部を有している請求項２記載の折り畳み式コンテナー。
【請求項４】

前枠と後枠とは上面開口を閉じるように上部に渡された結合杆によって結合可能とされている請求項１ないし請求項３のいずれか１項に記載の折り畳み式コンテナー。
【発明の詳細な説明】
【０００１】
【発明の属する技術分野】
本発明は、家電製品等の廃棄物や各種資源ごみなどを運搬するために使用し、空荷のときには折り畳み可能な前後左右の枠を有する比較的大型の折り畳み式コンテナーに関するものである。
【０００２】
【従来の技術】
廃棄物や各種資源ごみなどを回収し再利用するリサイクルシステムの確立に伴い、それらを運搬する専用のコンテナーが求められ、様々な形状、機能を備えたものが出回っている。それらは浅いものや深いもの、下開き式のもの、折り畳み式のものなどがあり、主な先行技術には特開平６−１３５４４３号、同７−２９１２８５号、同１０−１１４３３４号、実開平４−２１４３３号等がある。しかしこれら先行技術はときに粗大ごみなどと呼ばれるＴＶや冷蔵庫、エアコンディショナー、洗濯機などの大型の家庭電化製品の回収には余り適さない。相対的に小型の廃棄物を収容することを目的としているからである。
【０００３】
前記の先行技術及び前記以外の先行技術は、折り畳み構造を持ってはいても、折り畳みのために前後左右の枠をどのように扱うかについて言及するところが少い。本発明の対称となる比較的大型のコンテナーは、例えば積載量１０ｔのトラックに数台を積み込む程度の大型であるが、このようなコンテナーでは折り畳み及び組み立ての際の前後左右の枠の取り扱いが非常に重要となる。大型になればなるほど重量が増し、組み立て、折り畳みが困難となり、ときには危険が伴なうからである。
【０００４】
【発明が解決しようとする課題】
本発明は前記の点に鑑みなされたものであって、その課題は比較的大型の折り畳み式コンテナーであっても、１人の作業者で安全に組み立て、折り畳みが行えるようにすることである。
【０００５】
【課題を解決するための手段】
前記課題等を解決するため本発明は、後枠及び左右の枠を荷台である床枠に下辺部を、それぞれヒンジ部にて回転により折り畳み可能に取り付け、前記それぞれのヒンジ部のうち左右の枠を荷台である床枠に下辺部にてとりつけたヒンジ部は、左右の枠の下部に内方へ向けて突出するように設けられた支片と、この支片を床枠の突出部に軸結合した支軸とからなり、支片は、左右の枠の折り畳み時に床枠上に畳まれた後枠に左右の枠が当たらないようにスペースを提供可能な長さを有するとともに、後枠及び左右の枠を床枠上に重ねられるようにし、左右の枠は組み立て及び折り畳みの途中に１個ずつ自立可能にする支持部を有し、支持部は床枠に設けられている突出部との間で係合可能な係合子を含むものとし、自立した左右の枠に後枠を掛け止め可能にする掛止部を後枠及び左右の枠との間に有し、前枠は正面開口を開閉可能な扉として左右の枠の双方又は一方に取り付けるという手段を講じたものである。
【０００６】
【発明の実施の形態】
本発明の折り畳み式コンテナーは、家電製品等の廃棄物や各種資源ごみなどの運搬に使用する。コンテナーは前後左右の枠を有し、空荷のときにはそれらの折り畳みが可能である。大型家電製品や粗大ごみ等の収容のためにコンテナーは比較的大型であることが望まれる。ここで大型とは例えば１人では支えにくいか支えられない形状又は重さの折り畳み部材を有するものとする。
【０００７】
折り畳み部材である後枠及び左右の枠は、荷台である床枠に、下辺部にて回転可能に取り付けられ、かつ床枠の上面に畳まれる構成を有する。折り畳みの際、最初に、後枠が床枠上に畳まれ、その上に左又は右の枠が重ねて畳まれるようにする。
【０００８】
左右の枠は組み立て及び折り畳みの途中で、１個ずつ自立可能にする支持部を有する。支持部は、床枠に設けられている突出部との間で係合可能な係合子を含む。また、左右の枠を荷台である床枠に下辺部にてとりつけたヒンジ部は、左右の枠の下部に内方へ向けて突出するように設けられた支片と、この支片を床枠の突出部に軸結合した支軸とからなり、支片は、左右の枠の折り畳み時に床枠上に畳まれた後枠に左右の枠が当たらないようにスペースを形成できるだけの長さを有する。
【０００９】
つまり、左右の枠は係合子によって自立可能となり、また左右の枠の下部に内方に向かう支片を含むことにより、上記係合子による自立とは別に、支片が内側への倒れ防止の後を果たして左右の枠の自立を可能にする。さらに係合子による床板への自立の固定と、支片による倒れ防止との相乗によって、左右の枠の確固とした自立を保証するものとなる。
【００１０】
自立した左右の枠に、後枠を掛け止めるために、掛止部を後枠及び左右の枠との間に有する。左右の枠は、床枠に支持部によって自立可能とされているので、後枠が倒れないように掛け止める相手は左右どちらか片方の枠だけでも良いし、また双方に掛け止めて良い。
【００１１】
前枠は、正面開口を開閉可能な扉を構成し、これは左右の枠の双方に左右別々の両開きの扉として設けられる。或いはまた左右いずれか一方の枠に１個の片開き扉として設けられても良い。前枠即ち扉と後枠とは、上面開口を閉じるように上部に渡された結合材によって結合することができ、これによって、収容した廃棄物等の横荷重でコンテナーが開いてしまうのを防止できることになる。
【００１２】
本発明に係る折り畳み式コンテナーは、前後左右の枠を床枠上に折り畳んだときに、複数個を上下に段積み可能である。その際に、折り畳んだ枠よりも上に位置する突出部の上端部にて上位のコンテナーを支持することは望ましいことである。段積み時の安定性向上のために、上位及び下位のコンテナーには突出部を受け入れる凹部等のずれ止めを設けることができる。
【００１３】
【実施例】
以下、図示の実施例により本発明をより詳細に説明する。図１は本発明の折り畳み式コンテナー１０の例示であり、このコンテナー１０はいずれも略長方形状を有する床枠１１と、その４辺に位置する前枠１２、後枠１３、左枠１４及び右枠１５を有する。前枠１２〜右枠１５は金属パイプと帯金状の部材を用いて格子枠型に組んだもので、外周を囲む枠部はヒンジ結合の軸に利用される。
【００１４】
床枠１１はフォークリフトのフォークの差し込みが可能なパレット構造を有している。１６はフォークの差し込み口を示す。床枠１１は、４隅に上向きの突出部１７を有しており、例示の突出部１７は４隅部共、鉤型の平面形状を有していて、前枠１２、後枠１３、左枠１４及び右枠１５を外側から支え、外方に倒れるのを防止できる構造となっている。
【００１５】
床枠１１の突出部１７の上端部１８は、上位コンテナーとの段積みのための支持部であるので、床枠１１の下には上端部１８を受け入れて支持する凹部１９ａが設けられ、段積み時の横ずれ防止を行っている。１９ｂは前後方向のずれ止めを示す。
【００１６】
前枠１２は左右の開閉部２１、２２から成る両開き扉になっており、夫々左枠１４及び右枠１５に回転可能に取り付けられた左右開閉部２１、２２は外側に開く。左右開閉部２１、２２は夫々上、下２部分２１ａ、２１ｂ、２２ａ、２２ｂから成り（図４）、上、下部分２１ａ、２１ｂ、２２ａ、２２ｂが別々にも外方へ動かせるようになっている。左右の開閉部２１、２２は、それ自体の外側の側材と左枠１４及び右枠１５の前側の側杆とにヒンジ２０によって取り付けられている。ヒンジ２０は、各側杆の上下に取り付けた各一対のヒンジ部材２３、２４と、それらを結合する結合部材２５及び上下の結合部材２５、２５を連結した連結杆２６とを有する（図５）。
【００１７】
また左右の開閉部２１、２２の上、下部分２１ａ、２１ｂ、２２ａ、２２ｂは結合ピン２７の挿脱によって一体又は別体に開閉可能とされている。２８は結合材であり、左右の上部分２１ａ、２２ａ及び左右の下部分２１ｂ，２２ｂを閉じた状態において左右両部分に前枠１２としての一体性を与える。２９はストッパーであり、前枠１２が内方へ押し動かされるのを下部で防ぐために床枠前辺に設けてあるものである。
【００１８】
後枠１３は床枠１１の後辺部分にヒンジ部３０にて回転可能に取り付けられており、これも最小限度ではあるが左右の突出部１７、１７によって外方へ倒れないようにされている。しかし、次に説明する左右の枠１４、１５及び前枠１２との結合構成により、頑丈なコンテナーとなる。なお後枠１３は折り畳み時、床枠１１の上面に接し、左右の枠１４、１５はその上に重ねられる。
【００１９】
左右の枠１４、１５は床枠１１の左辺及び右辺部分に、前後の突出部１７によってヒンジ結合されている。そのヒンジ部は左右の枠１４、１５の下部の前側及び後側に内方へ向けて突出するように設けた支片３１、３１と、この支片３１、３１を台枠１１の前後隅の突出部１７、１７に軸結合した支軸３２、３２とから成る。支片３１、３１は左右の枠１４、１５の折り畳みに先立って床枠１１上に畳まれている後枠１３に左右の枠が当たらないようにスペースを提供できるだけの長さを有する（図８及び図１２参照）。
【００２０】
さらに左右の枠１４、１５は組み立て、折り畳みの過程において自立可能な状態を取るために支持部３３を有する。支持部３３は、左右の枠１４、１５を前部かつ下部において突出部１７に係合可能にする係合子３４を含む。例示の係合子３４は図８〜図９に示すように左右の枠１４、１５の前下部に設けられた取り付け部３５に前後方向へ移動可能に装着されており、鉤部３６を位置決め部３７の前に移動させることで突出部１７に係合可能となる（図９（２）及び（ｂ））。
【００２１】
また左右の枠１４、１５と後枠１３との間には、前に触れたように各枠１３と１４、１３と１５を掛け止め可能にする掛止部３８が設けられる。掛止部３８は図６〜図７に示すように左右の枠１４、１５の後部かつ上部に設けられたガイド部３９と、ガイド部３９に通したスライダ４０とを含み、ガイド部３９は下方が内方へ向くように傾斜していて、スライダ４０を押し下げるとその先端掛け止め部４１を左右の枠１４、１５に掛け止められるようになっている。４２はスライダ４０のブラケット軸受を示す。
【００２２】
さらに後枠１３は前枠１２と結合杆４３によって結合可能な構成を有する。結合杆４３は後枠１３の上辺部分４４を軸として回転可能に取り付けられ、かつやや緩く取り付けてあることにより首振り可能となっており、先端係止部４５を前枠上部の受け部４６に差し込んで係止することができる。同様の受け部４７は左右の枠部１４、１５及び後枠１３の下部にも設けられており、開扉時及び積み下し時ないしは折り畳み時に掛け止めておくことができる（図１０）。前枠１２の上端及び後枠１３には突起対４８で規定されたロープ掛け部４９が設けられている。図中、５０はカード差し取り付け部で管理等の目的で使用される。
【００２３】
このような構成を有する本発明の折り畳み式コンテナー１０は、図１に示した状態で家電製品等の廃棄物や各種資源ごみなどを収容して運搬に供される。運搬状態では結合杆４３によって前枠１２と後枠１３とが結合され、かつロープ掛け部４９にロープを掛けることによって孕み出しが防止され、大型ごみでも多量に運ぶことができる。
【００２４】
また空荷のときに、床枠上に立ち上げられた周囲４面の枠の折り畳むには、まず前枠１２の左右開閉部２１、２２を外側に開いて左右の枠部１４、１５に重ね（図１１中右上段）、後枠１３を床板１１上に伏せ（図中左）、次に右枠１５、左枠１４又はこの逆の順に折り畳むことができる。その際、前枠１２の開閉は問題なく１人で行え、後枠１３の折り畳み時には後方上部の掛止部３８、３８と左右の枠１４、１５との掛け止めを解除するけれども、左右の枠１４、１５は各個自立しているのでこれも１人での作業が可能である。また自立している左右の枠１４、１５の折り畳みも１人で全く安全に行うことができる。組み立てを同様に安全かつ容易に行える点は説明するまでのないことであろう。
【００２５】
かくしてこのコンテナー１０は平たく折り畳まれ（図１１下段）、そのとき４隅には突出部１７〜１７が立ち残っている。この突出部１７〜１７を支え部材として他の折り畳んだコンテナー１０…を積み重ねることができ、積み重ね状態で上下のコンテナー１０、１０…は、下位コンテナー１０の突出部１７が上位コンテナー１０の凹部１９ａに嵌まり込み、その状態でもう一つのずれ止め１９ｂにより前後方向も固定される（図１２（ａ）〜（ｃ））。よって多段に積んだものが十分に安定する。
【００２６】
【発明の効果】
本発明は以上の如く構成され、かつ作用するものであるから、家電製品の廃棄物等の粗大ごみや各種資源ごみなどを収容することができ、前枠、後枠及び左右の枠は床枠の４隅に設けられている突出部で支えられ、左右の枠は突出部に支持部で係合して自立し、後枠は左右の枠に掛止部で掛け止められているので、人の背丈よりも大きい程の前枠、後枠及び左右の枠を有するコンテナーであっても１人の作業者が容易かつ安全に組み立て分解可能であり、極めて取扱い易く作業性が非常に良好になるとともに、収容物を不安なく溜めておくことができる比較的大型の折り畳み式コンテナーに適する等顕著な効果を奏する。
【図面の簡単な説明】
【図１】本発明に係る折り畳み式コンテナーの実施例を示す斜視図。
【図２】同じく一部を破断した正面図。
【図３】同じく右側面図。
【図４】前枠の正面図。
【図５】（ａ）扉ヒンジ部の横断面図。（ｂ）同じく正面図。
【図６】後枠の正面図。
【図７】（ａ）掛止部の正面説明図。
（ｂ）図７（ａ）のＢ−Ｂ線断面図。
【図８】（ａ）支持部の側面説明図。
（ｂ）同じく側面説明図。
【図９】（ａ）支持部の突出部との係合関係を示す上面図。
（ｂ）同じく側面説明図。
【図１０】（ａ）結合枠を示す平面図。
（ｂ）同じく正面図。
（ｃ）同じく側面図。
【図１１】本発明のコンテナーの折り畳み過程を示す斜視図。
【図１２】（ａ）折り畳んだコンテナーの段積み状態を示す正面図。
（ｂ）図１２（ａ）の要部拡大図。
（ｃ）図１２（ｂ）に対する側面図。
【図１】
0004544738.tif 000002
【図２】
0004544738.tif 000003
【図３】
0004544738.tif 000004
【図４】
0004544738.tif 000005
【図５】
0004544738.tif 000006
【図６】
0004544738.tif 000007
【図７】
0004544738.tif 000008
【図８】
0004544738.tif 000009
【図９】
0004544738.tif 000010
【図１０】
0004544738.tif 000011
【図１１】
0004544738.tif 000012
【図１２】
0004544738.tif 000013